(57)【要約】【課題】接続部分に水や汚物が滞留することを防止しながら、従来の自在管継手と同様にして接続角度を調節することができる自在管継手を提供する。【解決手段】管体１５の端部に該管体よりも大径の球状内面部１６を設けた球状受口部材１１と、該球状受口部材の前記管体内に挿入され、先端が球状内面部内に突出した接続筒１２と、前記球状受口部材の球状内面部に対応した球状外面部１７を有し、内部に接続管（流入管１３）が挿入される回動筒１４とを備えた自在管継手であって、前記接続筒の先端開口縁を、前記接続管の接続方向傾斜側が反接続管側に後退した凹状部２２と、接続管の反傾斜側が前記接続管方向に突出した凸状部２３とに形成するとともに、前記接続管を、該接続管先端が前記接続筒に当接する位置まで回動筒内に挿入するように形成した。【選択図】　　図１
2004069046.tif 000002
【特許請求の範囲】
【請求項１】
管体の端部に該管体よりも大径の球状内面部を設けた球状受口部材と、該球状受口部材の前記管体内に挿入され、先端が球状内面部内に突出した接続筒と、前記球状受口部材の球状内面部に対応した球状外面部を有し、内部に接続管が挿入される回動筒とを備えた自在管継手であって、前記接続筒の先端開口縁を、前記接続管の接続方向傾斜側が反接続管側に後退し、接続管の接続方向反傾斜側が接続管方向に突出するように形成するとともに、前記接続管を、該接続管先端が前記接続筒に当接する位置まで回動筒内に挿入するように形成したことを特徴とする自在管継手。
【請求項２】
前記回動筒に、前記球状受口部材に当接することによって球状受口部材に対する接続管の接続角度を規制する回動角度規制部材を装着したことを特徴とする請求項１記載の自在管継手。
【発明の詳細な説明】
【０００１】
【発明の属する技術分野】
本発明は、自在管継手に関し、例えば、排水桝の流入口と流入管との接続角度を調節可能とした自在管継手に関する。
【０００２】
【従来の技術】
従来から、配管同士あるいは排水枡の流入口と流入管とを接続するための管継手として、球状受口部材と球状差口部材とを回動可能に結合した自在管継手が広く用いられている（例えば、特許文献１参照。）。
【０００３】
【特許文献１】
実公平６−４７１９０号公報（第１頁、第１図）
【０００４】
【発明が解決しようとする課題】
しかし、上述のような自在管継手を排水桝の流入口と流入管との接続に使用した場合、流入管の勾配が大きくなると、前記特許文献１の第４図にも記載されているように、球状受口部材の底側に凹部が形成されるため、この凹部に排水中の汚物が滞留、固化して汚水の流れを妨げるなどの問題があった。前記特許文献１記載の考案では、球状受口部材にストッパーを設けて球状差口部材の回動範囲を規制することにより、前記凹部が形成されないようにしているが、この構造では、配管同士あるいは流入口と流入管との接続角度が限られた狭い範囲に制限されてしまうという問題があった。
【０００５】
そこで本発明は、接続部分に水や汚物が滞留することを防止しながら、従来の自在管継手と同様にして接続角度を調節することができる自在管継手を提供することを目的としている。
【０００６】
【課題を解決するための手段】
上記目的を達成するため、本発明の自在管継手は、管体の端部に該管体よりも大径の球状内面部を設けた球状受口部材と、該球状受口部材の前記管体内に挿入され、先端が球状内面部内に突出した接続筒と、前記球状受口部材の球状内面部に対応した球状外面部を有し、内部に接続管が挿入される回動筒とを備えた自在管継手であって、前記接続筒の先端開口縁を、前記接続管の接続方向傾斜側が反接続管側に後退し、接続管の接続方向反傾斜側が接続管方向に突出するように形成するとともに、前記接続管を、該接続管先端が前記接続筒に当接する位置まで回動筒内に挿入するように形成したことを特徴と、さらに、前記回動筒に、前記球状受口部材に当接することによって球状受口部材に対する接続管の接続角度を規制する回動角度規制部材を装着したことを特徴としている。
【０００７】
【発明の実施の形態】
図１乃至図３は、本発明の自在管継手をリブパイプの接続に適用した第１形態例を示すもので、図１は縦断面図、図２は横断面図、図３は上流側（反接続側）が上方に傾斜した接続管を接続した状態を示す縦断面図である。
【０００８】
この自在管継手は、例えば、排水枡の流入口に装着される球状受口部材１１と、該球状受口部材１１内に挿入された接続筒１２と、接続管としての流入管１３を挿入接続するための回動筒１４とにより形成されている。球状受口部材１１は、前記流入口に挿入固着される管体１５の端部に、該管体１５よりも大径の球状内面部１６を設けたものであって、前記接続筒１２は、基部が前記管体１５内に挿入された状態で、流入管側先端が球状内面部１６の内部に突出した状態となっている。
【０００９】
回動筒１４は、前記球状内面部１６に対応した球状外面部１７を有する外筒１８と、該外筒１８内に挿入された内筒１９とからなるもので、外筒１８の外周には、球状内面部１６との間を回動可能な状態でシールするリング状パッキン２０が装着されている。また、前記流入管１３は、先端よりも上流側に寄ったリブ間に装着されたリング状パッキン２１を介して内筒１９の内部に軸方向に移動可能な状態で挿入されている。なお、本形態例では、外筒１８の外周に設けたリブの外周端を結ぶ面が球状になるようにしているが、外筒１８の外周面を球状に形成するようにしてもよい。
【００１０】
そして、前記接続筒１２の先端開口縁は、全体として、軸線に対して傾斜した切り口を有する状態となっており、図３に示すように、流入管１３の接続方向傾斜側、すなわち、本例では流入管１３に設定された水勾配によって上流側が上方に傾斜した流入管１３の接続方向傾斜側に位置する先端開口縁上部側が反流入管側に後退して凹んだ状態の凹状部２２となっており、接続方向反傾斜側に位置する先端開口縁下部側が流入管方向の球状内面部１６内に突出した状態の凸状部２３となっている。
【００１１】
また、凸状部２３は、接続筒１２の上下方向中間部から斜めに二段階に突出し、二段目の突出部２３ａが流入管１３の先端下部を包み込むような形状に形成されている。さらに、凸状部２３の開口縁２３ｂは、傾斜した状態で接続される流入管１３の先端を受け入れやすくするため、外周側に拡開した状態に形成されている。
【００１２】
このように形成した接続筒１２を球状受口部材１１内に配置した自在管継手において、図１及び図２に示すように、流入管１３を略水平方向（直線方向）に接続する場合には、先端から２番目と３番目のリブの間にリング状パッキン２１を装着した流入管１３を回動筒１４の内筒１９内に挿入し、管端より後退した位置にある１番目のリブが接続筒１２の凸状部２３に当接するまで挿入する。これにより、流入管１３の先端下部が凸状部２３の二段目の突出部２３ａにより包み込まれた状態になる。
【００１３】
また、図３に示すように、流入管１３に水勾配を設けて上流側が上方に傾斜した状態で接続する場合も、先端から２番目と３番目のリブの間にリング状パッキン２１を装着した流入管１３を回動筒１４の内筒１９内に挿入し、流入管先端が接続筒１２の内周面に当接するまで挿入する。これにより、前記同様に、流入管１３の先端下部が凸状部２３の二段目の突出部２３ａにより包み込まれた状態になる。
【００１４】
すなわち、球状受口部材１１の軸線に対して流入管１３の軸線を直線方向として接続する場合も、両軸線が傾斜した状態で接続する場合も、二段目の突出部２３ａで流入管１３の先端下部を包み込んだ状態になるので、流入管１３から排水枡に向かって流れる排水を、流入管１３から接続筒１２に円滑に導くことができ、流入管１３と接続筒１２との接続部分から排水が溢れて球状内面部１６の底部に水や汚物が滞留することを防止できる。
【００１５】
さらに、図２に示すように、凸状部２３の一段目の突出部２３ｃを二段目の突出部２３ａに対して反接続管側に後退させた状態としているので、球状受口部材１１の軸線に対して流入管１３の軸線が平面視において傾斜している場合にも対応することができる。したがって、流入管１３の水勾配による鉛直方向の接続角度だけでなく、水平方向の接続角度調整も可能である。
【００１６】
図４乃至図７は、本発明の第２形態例を示すもので、図４は回動角度規制部材の正面図、図５は回動角度規制部材を装着したパイプの断面図、図６は接続管の水平方向の接続角度を規制している状態を示す横断面図、図７は接続管を鉛直方向に傾斜させた状態を示す縦断面図である。なお、前記第１形態例に示した各部材と同一の構成要素には同一符号を付して詳細な説明は省略する。
【００１７】
まず、回動角度規制部材３１は、回動筒１４の内筒１９の外周に装着することができ、かつ、装着後に自然に外れることがないように、半円以上の円弧形状を有する弾性変形可能で、装着時にその弾性によって内筒１９を締め付けることができるような材料、例えば合成樹脂や合成ゴムからなるものであって、円弧形状における開口部３２の開き角度αを４５〜９０度の範囲に設定している。このように形成した回動角度規制部材３１は、回動筒１４の内筒１９に対して下方から開口部３２を弾性を利用して拡げた状態で嵌着され、復元力によって開口部３２が内筒１９の上方に位置する状態で固定された状態となるとともに、内筒１９の外周に設けられた突起とリブとの間の凹溝内に装着される。なお、回動角度規制部材３１は、接着剤を介して内筒１９の外周に装着固定してもよい。
【００１８】
回動角度規制部材３１を内筒１９に所定の状態で装着することにより、図６に示すように、接続管である流入管１３の球状受口部材１１に対する接続方向において、水平方向への接続角度は、回動角度規制部材３１が球状受口部材１１の開口縁１１ａに当接することによって規制され、接続筒１２と流入管１３との間が大きく開くことがなくなる。これにより、接続筒１２と流入管１３との間に凹部が形成されて排水中の汚物が滞留、固化することを防止できる。このとき、回動角度規制部材３１の厚み等を適当に設定することにより、規制角度を任意に調節することができる。
【００１９】
一方、図７に示すように、流入管１３の鉛直方向への接続角度は、回動角度規制部材３１の開口部を上方に位置させているので、回動角度規制部材３１が球状受口部材１１の開口縁１１ａに当接することがなく、水平方向に比べて流入管１３の傾斜角度を大きくとることができる。
【００２０】
なお、本形態例では、回動筒１４における球状内面部１６への挿入性や成形性を考慮して回動筒１４を外筒１８と内筒１９とに分割形成したが、回動筒１４を一体成形することも可能である。また、リブパイプ以外のパイプの接続にも適用が可能である。
【００２１】
【発明の効果】
以上説明したように、本発明の自在管継手によれば、球状受口部材の底部に水や汚物が滞留することを防止できる。また、回動角度規制部材を装着することにより、流入管接続時において凹部が発生しやすい方向、例えば水平方向の接続角度を規制することができる。
【図面の簡単な説明】
【図１】本発明の自在管継手をリブパイプの接続に適用した第１形態例を示す縦断面図である。
【図２】同じく横断面図である。
【図３】上流側が上方に傾斜した接続管を接続した状態を示す縦断面図である。
【図４】本発明の第２形態例を示す回動角度規制部材の正面図である。
【図５】回動角度規制部材を装着したパイプの断面図である。
【図６】接続管の水平方向の接続角度を規制している状態を示す横断面である。
【図７】接続管を鉛直方向に傾斜させた状態を示す縦断面図である。
【符号の説明】
１１…球状受口部材、１２…接続筒、１３…流入管、１４…回動筒、１５…管体、１６…球状内面部、１７…球状外面部、１８…外筒、１９…内筒、２０，２１…リング状パッキン、２２…凹状部、２３…凸状部、２３ａ…二段目の突出部、２３ｂ…開口縁、２３ｃ…一段目の突出部、３１…回動角度規制部材、３２…開口部
【図１】
2004069046.tif 000003
【図２】
2004069046.tif 000004
【図３】
2004069046.tif 000005
【図４】
2004069046.tif 000006
【図５】
2004069046.tif 000007
【図６】
2004069046.tif 000008
【図７】
2004069046.tif 000009